(57)【要約】【課題】太陽電池の設置が煩雑なものとならず、見栄えがよいものとできる自発光式視線誘導標を提供する。【解決手段】太陽電池を本体１に太陽電池ユニット２として取り付けることで誘導標部１０を形成し、支柱２０に取り付けることで、誘導標部１０における太陽電池の設置を簡便なものとできる。また太陽電池ユニット２が誘導標部１０の外形の一部を形成していることで、本体１と太陽電池ユニット２とが一体感を持った外観となり、見栄えを良好なものとできる。【参照図】        図２【特許請求の範囲】
【請求項１】
発光体、蓄電池等を収納した本体に、太陽電池セルを備えた太陽電池ユニットが取り付けられて外形が円筒状の誘導標部が形成され、該誘導標部が立設された支柱に取着されて設けられた視線誘導標であって、前記誘導標部の円筒状の外形は、その一部分が太陽電池ユニットにより形成されていることを特徴とする自発光式視線誘導標。
【請求項２】
前記太陽電池ユニットは、前記本体に備えられた前面板及び背面側押さえ部により挟持されていることを特徴とする請求項１に記載の自発光式視線誘導標。
【請求項３】
前記太陽電池ユニット及び前記本体は、互いに嵌合する凹凸が設けられ、前記本体に備えられた前面板が取着されることで前記凹凸が嵌合して前記太陽電池ユニットが前記本体から外れなくなされていることを特徴とする請求項１又は２自発光式視線誘導標。
【請求項４】
前記太陽電池ユニットは、凸部が備えられ、該凸部が本体に刻設された取付溝に挿入され、該取付溝内で摺動されて取り付けられるものであることを特徴とする請求項１〜３のいずれかに記載の自発光式視線誘導標。
【請求項５】
前記支柱は金属管であって、支柱の内側面側及び外側面側にそれぞれ前記誘導標部の本体の下面から円筒状の内外の支柱取付壁面が突設され、前記支柱取付壁面間に支柱の上端部が挿入されると共に、前記本体の下面の、前記支柱取付壁面の間に本体内部に通じる水抜き孔が穿設されていることを特徴とする請求項１〜４のいずれかに記載の自発光式視線誘導標。
【請求項６】
前記支柱は金属管であって、支柱の内側面側及び外側面側にそれぞれ前記誘導標部の本体の下面から円筒状の内外の支柱取付壁面が突設され、支柱の内側面側には複数の支柱取付壁面が設けられ、該複数の支柱取付壁面が誘導標部が取り付けられる支柱の内側面と略接するようになされていることを特徴とする請求項１〜４のいずれかに記載の自発光式視線誘導標。
【発明の詳細な説明】
【技術分野】
【０００１】
本発明は、道路の側縁等に設置され、夜間において太陽電池により生起された電力により発光体を発光させて、道路利用者の視線を誘導する自発光式視線誘導標に関するものである。
【背景技術】
【０００２】
太陽電池により生起された電力を用いて、夜間において発光体を発光させて道路利用者の視線を誘導する自発光式視線誘導標については種々の発明がなされてきており、例えば特許文献１には、太陽電池の発生電力を電気二重層コンデンサに充電し、この電気二重層コンデンサを電源として発光体を点灯又は点滅させる自発光式視線誘導標であって、誘導標本体中央部付近に１個又は複数個の前記発光体を配するとともにその前面に凸レンズを配し、前記発光体の放射光が該凸レンズで屈折し略平行光となって投射されるようにしたことを特徴とする自発光式視線誘導標が開示されている。
【０００３】
また特許文献２において、視線誘導標本体の天面上には電気的に並列接続された複数個の太陽電池モジュールが配備されており、これら太陽電池モジュールのうちには日射条件に応じて太陽電池セルを具備していないダミーモジュールも含まれることを特徴とする自発光式視線誘導標が開示されている。
【０００４】
【特許文献１】特開２０００−８０６１６号公報
【特許文献２】特開２０００−９６５２３号公報
【発明の開示】
【発明が解決しようとする課題】
【０００５】
しかしながら、特許文献１に記載の自発光式視線誘導標では、太陽電池を別体で設置するものであり、その設置に係わる手間や、配線、絶縁等に係わる材料や手間が必要となり、設置が煩雑となるものであった。
【０００６】
また特許文献２に記載の自発光式視線誘導標は、太陽電池が自発光式視線誘導標と一体となされており、太陽電池の設置に係わる手間は必要ないものの、外観上太陽電池を設置した上方部分が目立つものとなり、見栄えがよいと言い難いものであった。
【０００７】
本発明は上記の如き課題に鑑みてなされたものであり、太陽電池の設置が煩雑なものとならず、見栄えがよいものとできる自発光式視線誘導標を提供せんとするものである。
【課題を解決するための手段】
【０００８】
上記課題を解決するため、本発明は以下のような構成としている。すなわち、本発明に係わる自発光式視線誘導標は、発光体、蓄電池等を収納した本体に、太陽電池セルを備えた太陽電池ユニットが取り付けられて外形が円筒状の誘導標部が形成され、該誘導標部が立設された支柱に取着されて設けられた視線誘導標であって、前記誘導標部の円筒状の外形は、その一部分が太陽電池ユニットにより形成されていることを特徴とするものである。
【０００９】
また前記太陽電池ユニットは、前記本体に備えられた前面板及び背面側押さえ部により挟持されていることを特徴とするものである。
【００１０】
また前記太陽電池ユニット及び前記本体は、互いに嵌合する凹凸が設けられ、前記前面板が取着されることで前記凹凸が嵌合して前記太陽電池ユニットが前記本体から外れなくなされていることを特徴とするものである。
【００１１】
また前記太陽電池ユニットは、凸部が備えられ、該凸部が本体に刻設された取付溝に挿入され、該取付溝内で摺動されて取り付けられるものであることを特徴とするものである。
【００１２】
また前記支柱は金属管であって、支柱の内側面側及び外側面側にそれぞれ前記誘導標部の本体の下面から円筒状の内外の支柱取付壁面が突設され、前記支柱取付壁面間に支柱の上端部が挿入されると共に、前記本体の下面の、前記支柱取付壁面の間に本体内部に通じる水抜き孔が穿設されていることを特徴とするものである。
【００１３】
また、前記支柱は金属管であって、支柱の内側面側及び外側面側にそれぞれ前記誘導標部の本体の下面から円筒状の内外の支柱取付壁面が突設され、支柱の内側面側には複数の支柱取付壁面が設けられ、該複数の支柱取付壁面が誘導標部が取り付けられる支柱の内側面と略接するようになされていることを特徴とするものである。
【発明の効果】
【００１４】
請求項１に記載の本発明に係わる自発光式視線誘導標によれば、太陽電池をユニットとして取り付けることができ、誘導標部における太陽電池の設置を簡便なものとできる。また太陽電池ユニットが誘導標部の外形の一部を形成していることで、本体と太陽電池ユニットとが一体感を持った外観となり、見栄えを良好なものとできる。
【００１５】
また請求項２の発明によれば、本体に備えられた前面板と背面側押さえ部とにより挟持されることで、太陽電池ユニットは本体により強固に取り付けられると共に、前面側における太陽電池ユニットの露出を抑えることができ、見栄えをより良好にすることができ好ましい。
【００１６】
また請求項３の発明によれば、太陽電池ユニットを取り付けて配線等を行ってから前面板を取着することで太陽電池ユニットを本体に固定でき、前面板の取着と太陽電池ユニットの固定を同時に行って作業を簡便なものとでき好ましい。
【００１７】
また請求項４の発明によれば、取付溝を用いることで、取り付けが容易となると共に、誘導標部における太陽電池ユニットの位置がずれるのを防止でき好ましい。
【００１８】
また請求項５の発明によれば、本体内部に侵入して溜まった雨水や結露水を排出するのに、水抜き孔が外観上見えることがなくなり、水抜き孔から逆に雨水が侵入したり、支柱を伝って水が排出されるので排水が不十分になったりする恐れが小さく、また水抜き孔により見栄えが損なわれる恐れがなく好ましい。
【００１９】
また請求項６の発明によれば、複数の支柱取付壁面に支柱を挿入して誘導標部を固定でき、複数種類の大きさの支柱に対応して接合金具等を設ける必要がなく、作業は簡便になると共に、接合金具等が取り付けられることがないので見栄えが損なわれる恐れがなく好ましい。
【発明を実施するための最良の形態】
【００２０】
本発明に係わる最良の実施の形態について、図面に基づき以下に具体的に説明する。
図１は、本発明に係わる自発光式視線誘導標の、実施の一形態を示すもので、イ）が正面図、ロ）はイ）のＡ−Ａ線における断面図である。イ）において、支柱２０に誘導標部１０が取り付けられ、誘導標部１０の外形は円筒状となされているが、その上端部は太陽電池ユニット２が取り付けられ、本体１及び太陽電池ユニット２により円筒状の外形が形成されている。本体の前面側には透光性の前面板３が取り付けられ、前面板３を通して車座上に六体設けられた発光部４から発光された光が放射され、夜間における視認性を向上させている。また発光部４の中央部には再帰反射性のプリズムである反射体Ｒが取り付けられ、発光部４が発光しない場合においても夜間における視認性を確保できるようになされている。
【００２１】
ロ）において、本体１と前面板３とで本体１の内部に空間が形成され、本体１の内部には発光部４、蓄電池Ｂ、発光体基板Ｋなどが収納されている。太陽電池セル２１及び充填材を含むケース２２を備えた太陽電池ユニット２は、前面板３及び背面側押さえ部１１に挟持されて本体１の上端部に取り付けられている。発光部４はＬＥＤである光源４１の前面に、光源４１からの光を平行光に変換するレンズ４２が配置され、レンズ４２は前面板３と一体に成形されている。発光体４１は発行体基板Ｋに取り付けられ、発光体基板Ｋと前面板３とはスペーサーＳを介してビスからなる締結手段Ｔ１でビス止めされることで、光源４１とレンズ４２との距離は一定となされる。
【００２２】
また本体１の下面から、支柱２０の内側面側及び外側面側にそれぞれ円筒状の支柱取付壁面５１及び５２が突設され、内側の支柱取付壁面５１が支柱２０に嵌入され、内側及び外側の支柱取付壁面５１及び５２の間に支柱２０の上端部が挿入されて、誘導標部１０は支柱２０に取着される。取着を確実に行うために支柱２０に貫通孔を穿設し、支柱取付壁面５１、５２と支柱２０とをボルト止め等により固定してもよい。更に内側及び外側の支柱取付壁面５１及び５２の間に、本体１の内部に通じる水抜き孔６が穿設され、本体１内部に滞留する水が排出されるようになされている。
【００２３】
支柱２０の内側面と内側の支柱取付壁面５１との間は、嵌入状態でほとんど隙間のないようにしておけば、がたつき等が生じることなく好ましい。また支柱２０の外側面と外側の支柱取付壁面５２との間は、０．５ｍｍ〜１．０ｍｍ程度の隙間が生じるようにしておくことで、水抜き孔６からの水が支柱２０の外側面に沿って流下でき、水の排出が円滑になされると共に、支柱２０内部に水抜き孔６からの水が滞留して不具合が起こる恐れを小さくできる。
【００２４】
図２は、図１に示した自発光式視線誘導標の、形成の一例を示す説明図である。本体１は、円筒状の上端が太陽電池ユニット２を取り付けるよう平坦となされ、上端部には相対向して取付溝１２が刻設されている。太陽電池ユニット２は、上面が円弧状の断面形状の蒲鉾型となされ、両側縁には本体の取付溝１２と摺動可能となる凸部２３が設けられ、前面側から太陽電池ユニット２の凸部２３が取付溝１２内に挿入され、背面側押さえ部１１に突き当たるまで摺動されて取り付けられ、更に前面板３が本体１の前面側に取り付けられることで、上下及び左右方向は取付溝１２によって、前後方向は前面板３及び背面側押さえ部１１により押さえられて、太陽電池ユニット２は本体１から脱落することがなくなる。前面板３は、発光体基板Ｋや発光部４等が取り付けられた状態で、本体１に予め設けられたビス止め部１３を用いて背面側からビス止めされることで本体１に取り付けられる。
【００２５】
太陽電池ユニット２は、図３及び図４に示す如く本体に取り付けてもよい。図３は取り付けに係わる斜視図であるが、太陽電池ユニット２には、前後の端部に凸部２４Ａ（後端部は本図には図示せず）が設けられ、本体１の背面側押さえ部１１には、後端部の凸部が嵌着されると共に、太陽電池ユニット２周辺に滞留する水を排出する凹部孔１４が穿設されている。本体１の太陽電池ユニット２が取り付けられる上面には方形の枡部１５が設けられ、枡部１５上に太陽電池の主要部が配置されることで太陽電池セル等に水分による悪影響が及ぶ恐れを少なくしている。枡部１５の中央付近には、本体１内部に通じる配線用の配線孔１６が穿設されている。
【００２６】
図４は、取り付けに係わる側面図であるが、まず太陽電池ユニット２が本体１の上端部に、後端部の凸部２４Ｂが本体１の凹部孔１４に挿入されつつ取り付けられる。次に前面板３が本体１の前面側に、太陽電池ユニット２の前端部の凸部２４Ａを前面板３に設けられた凹部３１に挿入しつつ取り付けることで、太陽電池ユニットは前後方向は前面板３及び背面押さえ部１１に、左右方向は本体１に、上下方向は本体１及び嵌合された凸部と凹部により抑止され、本体１から外れることのないようになされている。
【００２７】
本体１の形成に係わる材料や方法は特に限定されるものではないが、上記の如く複雑な形状を有するものであり、熱可塑性合成樹脂を用いて射出成形や真空成形を行うことで容易に形成することができ好ましい。熱可塑性合成樹脂は、上記成形に適し、比較的衝撃に強いポリエチレン、ポリプロピレン、ＡＢＳ樹脂、ＡＡＳ樹脂、ポリ塩化ビニル樹脂、ポリカーボネート樹脂等を好適に用いることができる。
【００２８】
太陽電池ユニット２を形成する太陽電池セル２１については、単結晶、多結晶の結晶系、非結晶系のシリコン系のものや、ＧａＡｓ、ＩｎＰ等の化合物系のものを適宜用いてよい。ケース２２については、太陽電池セル２１への太陽光の入射を妨げないものであれば特に限定されるものではなく、道路周辺に設置されることから衝撃に強いポリカーボネート、ＡＢＳ樹脂、ポリ塩化ビニル樹脂などを用いてよく、またケース２２中でＥＶＡやシリコン等の充填材により太陽電池セル２１を封止して、太陽電池セル２１を水分や塵埃から保護するようにしてもよい。
【００２９】
前面板３は、光源４１からの光の透過を妨げないように、全体が、または光源４１が配置された前面部分が透光性のものとなされていれば特に限定されるものではないが、前面板３からの水分や塵埃等が本体１内部に侵入するのを防止するために、熱可塑性の合成樹脂、例えばポリカーボネート、ＡＢＳ樹脂、ポリ塩化ビニル樹脂等を用いて一体に形成しておくのが好ましい。また発光部４にレンズ４２が配置されるものであれば、上述の実施形態の如く前面板３とレンズ４２とを一体に成形すれば、形成に係わる作業を軽減でき好ましい。
【００３０】
図５は、発光部４に用いられるレンズ４２の詳細を示すもので、イ）は斜視図、ロ）は光が放射される概略を示す断面図である。イ）において、レンズ４２は全体に円錐状の形状となされており、光Ｌは前面方向αに放射される。ロ）において、透明度の高い材料で形成された中実体であるレンズ４２は、前面側αと反対側に断面円形で円筒形のＬＥＤ孔４２３が穿設され、ＬＥＤ孔４２３の前面方向α側の底面は半円球状の凸面部４２１となされている。更にレンズ４２の側面は円錐状側面４２２となされ、前面部４２４は平坦となされている。ＬＥＤである光源４１の発光素子４１１から発光がなされ前面方向αに放射される光は、光源４１から放射される際には僅かに拡がりを持って前面方向αに放射されるが、凸面部４２１により屈折されて前面方向αに直進して平行光線となされる、
【００３１】
また光源４１の側方に放射された光線Ｌ２は、レンズ４２のＬＥＤ孔４２３の内側面からレンズ４２内に入射され、側面に形成された円錐状側面４２２により前面方向α側に略全反射され、前面方向αに光線Ｌ４となって放射される。ここでレンズ４２の形成に用いる材質の屈折率とＬＥＤ２からＬＥＤ孔１３の内面に入射する光線Ｌ２の入射角度に応じて光線Ｌ４が前面方向αと略平行になるように円錐状側面４２２の曲率半径を設定し、且つ円錐状側面４２２の曲率半径をレンズ４２側面において一定としておけば、発光素子４１１の位置に係わらず光源４１の側方に放射される光線を前面方向αに効率よく放射でき好ましい。
【００３２】
かかる構造により、発光部４から放射される光線の形状は円筒状に近いものとなり、光源４１から直接発光されるものや、ＬＥＤ群の前面に凸レンズ等のレンズが配置されたものなどど較べ、光線が適度に拡散されて広い面積から光線が放射されるようになり、また光線の拡散が抑えられてＬＥＤ２からの光線を効率よく前面方向αに放射して発光輝度を高めることができる。また、発光部４から発光される光線の形状が円筒状となされていることから、レンズ４２の前面を視線誘導を目的とする方向に向ければ、主として視線誘導の対象となる方向に光線を放射でき、視線誘導の対象とならない方向において不要な光線による眩惑等が生じることを防止できる。
【実施例１】
【００３３】
図６及び図７は、本発明に係わる自発光式視線誘導標の、他の実施形態を示すもので、図１のロ）と同様の視点からの断面図である。図６は誘導標部１０の下端部分を示すもので、本体１の下面から複数の円筒状の内側の支柱取付壁面５１Ａ及び５１Ｂが突設され、支柱取付壁面５１Ｂの外側には更に外側の支柱取付壁面５２が設けられ、支柱取付壁面５１Ｂと支柱取付壁面５２との間には水抜き孔６が穿設されている。
【００３４】
図７は、誘導標部１０が支柱２０に取り付けられた状態を示すもので、イ）において、支柱２０の内側面に内側の、内側の支柱取付壁面５１Ａの外側面が接するように嵌着され、リベットである締結手段Ｔ２により支柱２０と支柱取付壁面５１Ａとが固着されることで誘導標部１０が支柱２０に取り付けられている。ロ）については、外側の、内側の支柱取付壁面５１Ｂの外側面に支柱２０の内側面が接するようになされている。かかる複数の支柱取付壁面５１Ａ、５１Ｂを設けておくことで、用意する本体１が一種類であっても複数の大きさの支柱２０に対応して取り付けることが可能となり、成形金型や在庫管理、納期対応が容易なものとなり好ましい。
【００３５】
また図７のイ）に示す実施形態において、図８に示す如くカバーを取り付けてもよい。カバー７は誘導標部１０が取り付けられる前に支柱２０に挿通しておき、誘導標部１０が取り付けられた後に支柱２０や本体１に取り付けられる。カバー７は一体に成形されたものであり、締結手段Ｔ２を挿通するリベット孔７１が形成され、上端部７２は本体１の内側の支柱取付壁面５１Ｂと外側の支柱取付壁面５２との隙間に嵌入されてカバー７は本体１及び支柱２０に取り付けられる。またリベット孔７１に底部を設け、その底部を併せて支柱２０及び支柱取付壁面５１Ａと締結手段Ｔ２により固着してもよい。
【００３６】
かかる構造とすることで、カバー７により締結手段Ｔ２が目立たなくなされ、また支柱２０と外側の支柱取付壁面５２との間の段差をなくすることで更に見栄えを良好なものとできる。また上端部７２が内側の支柱取付壁面５１Ｂと外側の支柱取付壁面５２との隙間に嵌入されていることで、本体１とカバー７とを強固に固定でき、また水抜き孔６が設けられている場合には排出された水をカバー７に伝わらせることができ、水滴の落下による見栄えの悪化を防ぐことができる。
【図面の簡単な説明】
【００３７】
【図１】本発明に係わる自発光式視線誘導標の、実施の一形態を示す説明図である。
【図２】図１に示す自発光式視線誘導標の形成の一例を示す説明図である。
【図３】図１に示す自発光式視線誘導標の、太陽電池ユニットの取り付けの他の例を示す説明図である。
【図４】図３の取り付けの詳細を示す側面図である。
【図５】発光部のレンズの、詳細を示す説明図である。
【図６】本発明に係わる自発光式視線誘導標の、支柱取付壁面の一例を示す断面図である。
【図７】図６の支柱取付壁面への支柱の取り付けの状態を示す断面図である。
【図８】図７の支柱及び本体へのカバーの取り付けの一例を示す断面図である。
【符号の説明】
【００３８】
１    本体
１１  背面側押さえ部
１２  取付溝
２    太陽電池ユニット
２１  太陽電池セル
２３  凸部
２４  凸部
３    前面板
３１  凹部
４    発光部
４１  光源
４２  レンズ
５１  内側の支柱取付壁面
５２  外側の支柱取付壁面
６    水抜き孔
７    カバー
１０  誘導標部
２０  支柱
【図１】
2005076239.tif 000002
【図２】
2005076239.tif 000003
【図３】
2005076239.tif 000004
【図４】
2005076239.tif 000005
【図５】
2005076239.tif 000006
【図６】
2005076239.tif 000007
【図７】
2005076239.tif 000008
【図８】
2005076239.tif 000009